(57)【要約】【課題】工程を簡略化し、工期の短縮を図ることのできる地下タンク貯蔵所の施工方法を提供する。【解決手段】燃料タンク２と、燃料タンク２上部のタンクマンホール３を囲むようにして設けられ、上方に延びる略筒状のプロテクタ４と、地中において、プロテクタ４と、建屋の配管ピット５との間を連結する筒状、かつ、金属製のカルバート６とを備える地下タンク貯蔵所１の施工は、地盤を掘削してタンク設置部２１を形成し、タンク設置部２１の底面に基礎スラブ２４を形成し、基礎スラブ２４の上に燃料タンク２を設置・固定し、タンク設置部２１をタンクマンホール３の開口部の下方位置まで埋め戻し、プロテクタ４、及び、カルバート６を取付け、タンク設置部２１をカルバート６の上方位置まで埋め戻し、タンク設置部２１の上方位置に上部スラブ３２を形成する。【選択図】      図２
2018158741.tif 000002
【特許請求の範囲】
【請求項１】
燃料を必要とする燃料被供給手段が設置された建屋の外において地中に埋設される燃料タンクと、
前記燃料タンクの上部に設けられたタンクマンホールの開口部を囲むようにして設けられ、上方に延びる略筒状のプロテクタと、
地中において、前記プロテクタと、建屋の配管ピットとの間を連結する筒状のカルバートとを備え、
前記燃料タンクから取出した燃料を、前記プロテクタ、前記カルバート、及び、建屋の配管ピットに挿通される配管を介して、建屋内の燃料被供給手段に供給する地下タンク貯蔵所の施工方法において、
１）地盤を掘削し、前記燃料タンクを埋設するタンク設置部を形成する根切り工程と、
２）前記タンク設置部の周囲地盤の安定化を図る山留工程と、
３）前記タンク設置部の底面に鉄筋コンクリート製の基礎スラブを形成する基礎スラブ形成工程と、
４）前記タンク設置部の前記基礎スラブの上に前記燃料タンクを設置・固定するタンク設置工程と、
５）前記タンク設置部を前記タンクマンホールの開口部の下方位置まで埋め戻す１次埋戻し工程と、
６）前記プロテクタを取付けるプロテクタ取付工程と、
７）カルバートとして金属製のカルバートを用い、当該カルバートを前記プロテクタ、及び、前記配管ピットにそれぞれ連結するカルバート取付工程と、
８）前記タンク設置部を前記カルバートの上方位置まで埋め戻す２次埋戻し工程と、
９）前記タンク設置部の上方位置において、地表、又は、地表舗装下方の砕石層直下に鉄筋コンクリート製の上部スラブを形成する上部スラブ形成工程とを具備していることを特徴とする地下タンク貯蔵所の施工方法。
【請求項２】
前記カルバートは、少なくとも前記カルバート取付工程が完了するまでの段階において、前記カルバートの延在方向において伸縮可能に構成されていることを特徴とする請求項１に記載の地下タンク貯蔵所の施工方法。
【請求項３】
前記カルバート取付工程において、前記カルバートに対し、前記カルバートから上方に延びる吊ボルトを取付ける吊ボルト取付工程を備え、
前記上部スラブ形成工程において、地表から上方に突出する前記吊ボルトの上端部に対し、インサート金具を取付けた状態として、当該インサート金具が前記上部スラブに埋設されるようにして前記上部スラブを形成することを特徴とする請求項１又は２に記載の地下タンク貯蔵所の施工方法。
【発明の詳細な説明】
【技術分野】
【０００１】
本発明は、内燃機関の性能試験等を行う建屋内へ燃料を供給する地下タンク貯蔵所の施工方法に関するものである。
【背景技術】
【０００２】
従来、内燃機関の性能試験等を行う建屋の外に地下タンク貯蔵所が設けられ、地下タンク貯蔵所の燃料タンクから、適宜、建屋内の内燃機関へ燃料が供給されることが行われている（例えば、特許文献１等参照。）。ガソリン・軽油・重油・ケロシン・アルコールなどの燃料（危険物第４類）を貯蔵する地下タンク貯蔵所では、二重殻タンク方式（地下貯蔵の燃料タンクの上方が鉄筋コンクリート造の蓋で覆われ、蓋にかかる重量が燃料タンクに直接かからず、燃料タンクが堅固な基礎の上に固定される構造）としてよく、特許文献１も二重殻タンク方式の技術である。これにより、タンク室としての側面の躯体を施工せず、燃料タンクの直接埋設が可能となる。
【０００３】
また、燃料タンクから燃料を運搬する配管は、地中において建屋の配管ピットまで延びる略筒状のカルバートの内部に挿通されている。これは、地下に埋設された燃料タンクから漏洩して地下水へ流入する危険性を最小限とするべく、配管は燃料タンクの頂部に接続することが法規上決められ、また、地下に埋設する配管は、地上を移動する車の重量によって損傷を受けないように囲う必要があるためである。
【０００４】
例えば、前記カルバートは、コンクリート層を形成し、その上に断面略コ字状（又は筒状）をなすコンクリートブロック（ボックスカルバート）を設置して固定することにより構成されている（例えば、特許文献２等参照。）。
【先行技術文献】
【特許文献】
【０００５】
【特許文献１】特開２００３−４０３９２号公報
【特許文献２】特公昭６３−６５７８４号公報
【発明の概要】
【発明が解決しようとする課題】
【０００６】
ところで、従来、図６に示すように、地下タンク貯蔵所（特に、二重殻タンク方式）の施工にかかる工程として、
１）地盤を掘削し、燃料タンクを埋設するタンク設置部を形成する根切り工程と、
２）タンク設置部の周囲地盤の安定化を図る山留工程と、
３）タンク設置部の底面に鉄筋コンクリート製の基礎スラブを形成する基礎スラブ形成工程と、
４）タンク設置部の基礎スラブの上に燃料タンクを設置・固定するタンク設置工程と、
５）タンク設置部を燃料タンクの上部に設けられたタンクマンホールの開口部の下方位置まで埋め戻す１次埋戻し工程と、
６）タンクマンホールの開口部を囲むようにして設けられ、上方に延びる略筒状のプロテクタを取付けるプロテクタ取付工程と、
７）タンク設置部をプロテクタの下部（カルバート連結用の開口部よりも下方位置）まで埋め戻す２次埋戻し工程と、
８）カルバートが設置されるカルバート設置部にコンクリート層を形成する捨てコンクリート打設工程と、
９）カルバート設置部にボックスカルバートを設置・固定するカルバート設置工程と、
１０）タンク設置部をカルバートの上方位置まで埋め戻す３次埋戻し工程と、
１１）タンク設置部の上方位置において、地表に鉄筋コンクリート製の上部スラブ（二重殻タンク方式の蓋）を形成する上部スラブ形成工程とがある。
【０００７】
このように、従来では、施工に多くの工程を必要とし、また、各工程を担う業者も、土工事や躯体工事を担当する建築会社と、燃料タンク本体の設置工事、配管工事、及び、燃料タンクの消防検査の受検を受け持つ設備会社とが存在し、工事毎に担当換えすることも相俟って、工期が比較的長くなってしまうことが懸念される。
【０００８】
本発明は、上記例示した問題点等を解決するためになされたものであって、その目的は、工程を簡略化し、工期の短縮を図ることのできる地下タンク貯蔵所の施工方法を提供することにある。
【課題を解決するための手段】
【０００９】
以下、上記目的等を解決するのに適した各手段につき項分けして説明する。なお、必要に応じて対応する手段に特有の作用効果等を付記する。
【００１０】
手段１．燃料を必要とする燃料被供給手段が設置された建屋の外において地中に埋設される燃料タンクと、
前記燃料タンクの上部に設けられたタンクマンホールの開口部を囲むようにして設けられ、上方に延びる略筒状のプロテクタと、
地中において、前記プロテクタと、建屋の配管ピットとの間を連結する筒状のカルバートとを備え、
前記燃料タンクから取出した燃料を、前記プロテクタ、前記カルバート、及び、建屋の配管ピットに挿通される配管を介して、建屋内の燃料被供給手段に供給する地下タンク貯蔵所の施工方法において、
１）地盤を掘削し、前記燃料タンクを埋設するタンク設置部を形成する根切り工程と、
２）前記タンク設置部の周囲地盤の安定化を図る山留工程と、
３）前記タンク設置部の底面に鉄筋コンクリート製の基礎スラブを形成する基礎スラブ形成工程と、
４）前記タンク設置部の前記基礎スラブの上に前記燃料タンクを設置・固定するタンク設置工程と、
５）前記タンク設置部を前記タンクマンホールの開口部の下方位置まで埋め戻す１次埋戻し工程と、
６）前記プロテクタを取付けるプロテクタ取付工程と、
７）カルバートとして金属製のカルバートを用い、当該カルバートを前記プロテクタ、及び、前記配管ピットにそれぞれ連結するカルバート取付工程と、
８）前記タンク設置部を前記カルバートの上方位置まで埋め戻す２次埋戻し工程と、
９）前記タンク設置部の上方位置において、地表、又は、地表舗装下方の砕石層直下に鉄筋コンクリート製の上部スラブを形成する上部スラブ形成工程とを具備していることを特徴とする地下タンク貯蔵所の施工方法。
【００１１】
例えば、従来のコンクリート製のボックスカルバートを使用してカルバートを構成する場合、ボックスカルバート用の固定金具を取付ける等するために、カルバートを設置する部位（以下、「カルバート設置部」と称する）の底面にコンクリート層を形成する捨てコンクリート打設工程が必要となる。さらに、プロテクタ取付工程の後、カルバートが設置されるレベルであるプロテクタの下部までタンク設置部の埋戻しを行ってから、前記捨てコンクリート打設工程を行い、プロテクタと、建屋の配管ピットとの間にかけてカルバートを延設させることとなる。つまり、２次埋戻し工程では、タンク設置部のうちプロテクタのカルバート連結用の開口部よりも下方位置までしか埋戻しをすることができない。また、ボックスカルバートをカルバート設置部に設置・固定する作業だけとっても、比較的大変な作業となる。
【００１２】
この点、手段１によれば、プロテクタと、建屋の配管ピットとの間が、金属製で筒状のカルバートで連結されており、カルバート設置部にコンクリート層を形成しなくても、カルバートを十分に支持・固定することができる。従って、カルバートを設置する層を形成する工程（カルバートが設置されるレベルまでタンク設置部を埋戻し、特に、カルバートが延設されるカルバート設置部に対しコンクリート層を形成する工程）を省略することができ、しかも、当該工程を必要としないことで、プロテクタ取付工程の直ぐ後に、カルバート取付工程を行うことができる。
【００１３】
これにより、カルバート取付工程の後、２次埋戻し工程において、タンクマンホールの開口部の下方位置まで埋め戻されていた状態のタンク設置部を、カルバートの上方位置まで一気に埋め戻すことができる。従って、タンク設置部を埋め戻す作業を簡略化することができる（タンク設置部をプロテクタの下部まで埋め戻すステップを省略することができる）。さらに、カルバートの取付作業としても、例えば、複数のコンクリートブロック製のボックスカルバートを並べて、防水対策等を施しつつ、ボックスカルバート同士を連結するとともに、ボックスカルバートをカルバート設置部のコンクリート層に固定するといった場合に比べ、比較的容易なものとすることができる。結果として、地下タンク貯蔵所の施工に関し、工程を簡略化し、工期の短縮を図ることができる。
【００１４】
手段２．前記カルバートは、少なくとも前記カルバート取付工程が完了するまでの段階において、前記カルバートの延在方向において伸縮可能に構成されていることを特徴とする手段１に記載の地下タンク貯蔵所の施工方法。
【００１５】
手段２によれば、カルバート取付工程において、プロテクタと、建屋の配管ピットとの間の距離に応じて、カルバートの長さの調節を容易かつ確実に行うことができる。従って、カルバート取付工程における作業性の向上を図ることができる。
【００１６】
手段３．前記カルバート取付工程において、前記カルバートに対し、前記カルバートから上方に延びる吊ボルトを取付ける吊ボルト取付工程を備え、
前記上部スラブ形成工程において、地表から上方に突出する前記吊ボルトの上端部に対し、インサート金具を取付けた状態として、当該インサート金具が前記上部スラブに埋設されるようにして前記上部スラブを形成することを特徴とする手段１又は２に記載の地下タンク貯蔵所の施工方法。
【００１７】
手段３によれば、カルバートが吊ボルトを介して上部スラブに支持されることとなり、カルバートの支持状態をより一層安定化させることができる。例えば、地下水由来の地盤沈下や震災時の液状化現象による地盤変化が起きても、二重殻タンク方式の燃料タンクを守るべく強固に燃料タンクと位置ずれしない上部鉄筋コンクリート蓋である上部スラブと同調するので支持が安定化する。また、上部スラブ形成工程を終えると、カルバートが吊ボルトを介して上部スラブに支持された状態となる。このため、吊ボルトを上部スラブに連結する作業の複雑化を抑制しつつ、当該比較的簡単な作業と引き換えに、カルバートの支持状態の安定化に関する絶大な作用効果を得ることができる。さらに、上部スラブを形成する建築会社側で吊ボルトを上部スラブに連結（固定）することができ、設備会社側の手配をしなくても済む。従って、利便性の向上、工期の短縮等を図ることができる。
【図面の簡単な説明】
【００１８】
【図１】地下タンク貯蔵所の平面図である。
【図２】地下タンク貯蔵所の正面図である。
【図３】地下タンク貯蔵所の側面図である。
【図４】カルバートの連結を説明するための側面図である。
【図５】地下タンク貯蔵所の施工にかかる工程を示す説明図である。
【図６】従来の地下タンク貯蔵所の施工にかかる工程を示す説明図である。
【発明を実施するための形態】
【００１９】
以下に、一実施形態について図面を参照して説明する。図１〜図３に示すように、地下タンク貯蔵所１は、燃料被供給手段としての内燃機関の性能試験が行われる建屋の外において地中に埋設される断面略円形状の燃料タンク２と、燃料タンク２の上部に設けられたタンクマンホール３（縦筒）の開口部を囲むようにして設けられ、上方に延びる略筒状のプロテクタ４と、地中において、プロテクタ４と、建屋の配管ピット５（図３参照）との間を連結する筒状のカルバート６とを備えている。
【００２０】
図１に示すように、タンクマンホール３の開口部を閉塞するタンクマンホール蓋３ａには、燃料タンク２に対して外部から燃料を注入する注油配管（図示略）を挿通させる注油口８と、燃料タンク２の燃料（ガソリン等）を建屋内に供給する吸油配管９ａ（図２参照）を挿通させる吸油口９と、吸油配管９ａを通じて建屋内に供給された燃料のうち余剰となった分が燃料タンク２に戻される通路となる戻り配管１０ａ（図２参照）を挿通させる戻り口１０と、燃料タンク２に貯留される燃料の増減に応じて通気される通気口１１と、液面計を挿通させる液面計口１２とが設けられている。また、燃料タンク２には、漏洩検知管１３が設けられている。
【００２１】
尚、吸油配管９ａは、プロテクタ４、カルバート６、及び、建屋の配管ピット５に挿通されている。また、燃料タンク２の燃料は、吸油配管９ａを通じて、図示しないポンプ室のポンプにより汲み上げられ、建屋内に設けられたサービスタンクに供給される。さらに、性能試験に供される内燃機関に対し、サービスタンクから、適宜、燃料が供給されるようになっている。内燃機関の性能試験等を行うために配管を介して燃料を建屋内に搬送する場合に、サービスタンクに燃料を供給する場合には、サービスタンク内オーバーフローから、又は、後述する内燃機関に燃料を供給する場合にも、バイパスから、燃料のうち燃焼に使われるより多い余剰分を燃料タンク２に戻す前記戻り配管１０ａが各々安全上のために必須である。また、燃料に作用する重力を利用した確実な戻りのための勾配確保のため、戻り配管１０ａにより燃料タンク２の埋設レベルが決まり、地中のカルバート６が必要となる。
【００２２】
図２、図３に示すように、プロテクタ４は、地表まで延びており、上方に開口するプロテクタ４の開口部を閉塞するプロテクタマンホール蓋４ａが設けられている。さらに、プロテクタ４の側面には、カルバート６と連通させる連通口が形成されている。
【００２３】
図４に示すように、カルバート６は、一端部側がプロテクタ４に連結された固定ダクト１５と、一端部側が固定ダクト１５の内側に嵌合されるとともに、固定ダクト１５の延在方向に沿ってスライド可能に構成されたスライドダクト１６とを備えている。スライドダクト１６の他端部側は、建屋の配管ピット５に連結され、これにより、カルバート６を介して、プロテクタ４と、建屋の配管ピット５との間が連通されることとなる。また、固定ダクト１５、及び、スライドダクト１６は、それぞれステンレスにより構成されている。尚、戻り配管１０ａのうちカルバート６に挿通される部位は、プロテクタ４側に下方傾斜しており、燃料を重力で燃料タンク２側に送る構成となっている。
【００２４】
次に、地下タンク貯蔵所１の施工にかかる工程について図５等に基づいて説明する。
【００２５】
先ず、１）地盤を掘削し、燃料タンク２を埋設するタンク設置部２１（図２等参照）を形成する根切り工程を行う。さらに、２）タンク設置部２１の周囲地盤の安定化を図る山留工程を行う。
【００２６】
続いて、３）タンク設置部２１の底面にコンクリート層２３（図２等参照）を打設するとともに、その上方に、鉄筋コンクリート製の基礎スラブ２４を形成する基礎スラブ形成工程を行う。また、基礎スラブ形成工程では、基礎スラブ２４から地表の近傍位置まで上方に延び、二重殻タンク方式の鉄筋コンクリート製の蓋を構成する上部スラブ３２を支持する支持部２５、及び、燃料タンク２の下面側を受けて支持する複数の受け部２６についても形成する。本実施形態の支持部２５は、鉄筋コンクリートの支柱により構成されている。さらに、受け部２６は、鉄筋コンクリートで構成され、基礎スラブ２４と一体的に形成され、上面側が略円弧状をなしている。加えて、基礎スラブ２４から上方に延びるアンカーボルト２７が、各受け部２６の両端部を貫通して、受け部２６の上方に突出している。尚、根切り工程、山留工程、及び、基礎スラブ形成工程は、建築工事を行う建築会社が担当する。
【００２７】
その後、４）タンク設置部２１の基礎スラブ２４（受け部２６）の上に燃料タンク２を設置・固定するタンク設置工程を行う。つまり、複数の受け部２６の上に燃料タンク２を設置し、燃料タンク２の上方に回した固定バンド２８を各受け部２６の一方のアンカーボルト２７から他方のアンカーボルト２７にかけて、燃料タンク２を固定する。尚、タンク設置工程は、設備工事を行う設備会社が担当する。設置後には、燃料タンク２等の消防検査を受検する。
【００２８】
燃料タンク２の固定を終えると、図２、図３に示すように、５）タンク設置部２１をタンクマンホール３の開口部の直下方位置まで（１次埋戻しラインＧＬ１まで）埋め戻す１次埋戻し工程を行う。尚、１次埋戻し工程は、建築会社が担当する。
【００２９】
さらに、６）プロテクタ４を取付けるプロテクタ取付工程と、７）カルバート６を取付けるカルバート取付工程とを行う。カルバート取付工程では、先ず、固定ダクト１５をプロテクタ４に連結する。続いて、スライドダクト１６を建屋の配管ピット５（の開口部）に当接するまでスライドさせて、配管ピット５に連結する。プロテクタ４や配管ピット５への連結は、カルバート６が鋼板等の金属製のため、孔の形成や折り曲げ加工がし易いので、シールを介したボルト締結で行うのが簡便で確実で好ましい。その後、固定ダクト１５と、スライドダクト１６との連接部分を溶接固定する。ボルト締結等の固定と、連接部分の溶接とにより、密閉されたカルバート６を宙に浮かせた状態で固定が可能となる。尚、固定ダクト１５、及び、スライドダクト１６の下面を支持する受け部材を必要に応じて適宜設定することとしてもよい。
【００３０】
また、図４に示すように、本実施形態では、カルバート取付工程において、カルバート６に対し、カルバート６から上方に延びる吊ボルト２９を取付ける吊ボルト取付工程が行われる。吊ボルト２９は、固定ダクト１５に設けられたアングル３０に連結され、略鉛直方向に延びた姿勢で自立するようになっている。さらに、吊ボルト２９の上端部には、インサート金具３１が取付けられている。尚、プロテクタ取付工程、及び、カルバート取付工程は、設備会社が担当する。
【００３１】
カルバート取付工程の後、図２、図３に示すように、８）タンク設置部２１をカルバート６の上方位置まで（２次埋戻しラインＧＬ２まで）埋め戻す２次埋戻し工程を行う。２次埋め戻し工程を終えると、埋め戻した地面から、プロテクタ４の上部、支持部２５の上部、及び、吊ボルト２９の上部（インサート金具３１）が突出した状態となる。宙に浮いた状態で固定されたカルバート６の下方も、埋め戻しの際に横から埋めてしまうことで、完了後の土圧均等付与が容易にできる。
【００３２】
続いて、９）タンク設置部２１の上方位置において、その時点の地表（埋め戻した地面）に鉄筋コンクリート製の上部スラブ３２を形成する上部スラブ形成工程を行う。上部スラブ３２は、複数の支持部２５により支持される。特に、本実施形態では、上部スラブ形成工程において、地表から上方に突出する吊ボルト２９の上端部に対し、インサート金具３１を取付けた状態として、当該インサート金具３１が上部スラブ３２に埋設されるようにして上部スラブ３２を形成する。これにより、カルバート６が吊ボルト２９を介して、上部スラブ３２に支持された状態となる。尚、２次埋戻し工程、及び、上部スラブ形成工程は、建築会社が担当する。
【００３３】
また、本実施形態では、プロテクタ４が上部スラブ３２の上面よりも上方に突出しており、上部スラブ３２の上方位置に砕石層が形成され、さらにその上方位置においてアスファルトコンクリートによる舗装が行われる。また、上部スラブ形成工程以降の工程についても、建築会社が担当する。尚、本実施形態では、プロテクタマンホール蓋４ａと、アスファルトコンクリートによる舗装とが略面一とされるが、例えば、プロテクタマンホール蓋４ａと、上部スラブ３２の上面とを略面一とし、アスファルトコンクリートによる舗装を省略して、上部スラブ３２の上面により地表面が構成されるようにしてもよい。
【００３４】
以上詳述したように、本実施形態によれば、プロテクタ４と、建屋の配管ピット５との間が、ステンレス製で筒状のカルバート６で連結されており、カルバート６が設置されている部位（以下、「カルバート設置部」と称する）の底面にコンクリート層を形成しなくても、カルバート６を十分に支持・固定することができる。つまり、例えば、鉄筋コンクリート製で断面コ字状、又は、筒状のコンクリートブロック（ボックスカルバート）を使用してカルバートを構成する場合、ボックスカルバート用の固定金具を取付ける等するために、カルバート設置部の底面にコンクリート層を形成する捨てコンクリート打設工程が必要となる。さらに、プロテクタ取付工程の後、カルバート６が設置されるレベルであるプロテクタ４の下部までタンク設置部２１の埋戻しを行ってから、前記捨てコンクリート打設工程を行い、プロテクタ４と、建屋の配管ピット５との間にかけてカルバートを延設させることとなる。つまり、２次埋戻し工程では、タンク設置部２１のうちプロテクタ４のカルバート連結用の開口部よりも下方位置までしか埋戻しをすることができない。また、ボックスカルバートをカルバート設置部に設置・固定する作業だけとっても、比較的大変な作業となる。
【００３５】
この点、本実施形態によれば、カルバート６を設置する層を形成する工程（カルバート６が設置されるレベルまでタンク設置部２１を埋戻し、特に、カルバート６が延設されるカルバート設置部に対しコンクリート層を形成する工程）を省略することができ、しかも、当該工程を必要としないことで、プロテクタ取付工程の直ぐ後に、カルバート取付工程を行うことができる。これにより、カルバート取付工程の後、２次埋戻し工程において、タンクマンホール３の開口部の下方位置まで埋め戻されていた状態のタンク設置部２１を、カルバート６の上方位置まで一気に埋め戻すことができる。従って、タンク設置部２１を埋め戻す作業を簡略化することができる（タンク設置部２１をプロテクタ４の下部まで埋め戻すステップを省略することができる）。さらに、カルバート６の取付作業としても、例えば、複数のコンクリートブロック製のボックスカルバートを並べて、防水対策等を施しつつ、ボックスカルバート６同士を連結するとともに、ボックスカルバートをカルバート設置部のコンクリート層に固定するといった場合に比べ、比較的容易なものとすることができる。結果として、地下タンク貯蔵所１の施工に関し、工程を簡略化し、工期の短縮を図ることができる。
【００３６】
また、カルバート６は、固定ダクト１５と、スライドダクト１６とを備え、カルバート取付工程が完了するまでの段階において、カルバート６の延在方向において伸縮可能に構成されている。このため、カルバート取付工程において、プロテクタ４と、建屋の配管ピット５との間の距離に応じて、カルバート６の長さの調節を容易かつ確実に行うことができる。従って、カルバート取付工程における作業性の向上を図ることができる。
【００３７】
さらに、カルバート６は吊ボルト２９を介して上部スラブ３２に支持されており、カルバート６の支持状態をより一層安定化させることができる。また、上部スラブ形成工程を終えると、カルバート６が吊ボルト２９を介して上部スラブ３２に支持された状態となる。このため、吊ボルト２９を上部スラブ３２に連結する作業の複雑化を抑制しつつ、当該比較的簡単な作業と引き換えに、カルバート６の支持状態の安定化に関する絶大な作用効果を得ることができる。さらに、上部スラブ３２を形成する建築会社側で吊ボルト２９を上部スラブ３２に連結（固定）することができ、設備会社側の手配をしなくても済む。従って、利便性の向上、工期の短縮等を図ることができる。
【００３８】
尚、上記実施形態の記載内容に限定されず、例えば次のように実施してもよい。勿論、以下において例示しない他の応用例、変更例も当然可能である。
【００３９】
（ａ）上記実施形態におけるカルバート６の構成は特に限定されるものではなく、例えば、プロテクタ４と連結される側をスライドダクト１６とし、配管ピット５と連結される側を固定ダクト１５とてもよいし、プロテクタ４と連結される側、及び、配管ピット５と連結される側の両方をスライドダクト１６としてもよい。尚、カルバート６を構成するダクトのうち、配管ピット５側のダクトを、プロテクタ４側のダクトよりも径を小さくして内側に挿入されるように構成することで、カルバート６に挿通される戻り配管１０ａをプロテクタ４側に下方傾斜させる構成を比較的容易に設けることができる。また、カルバート６を伸縮しないダクトのみで構成することも可能である。
【００４０】
（ｂ）上記実施形態では、燃料タンク２から燃料を供給する先の燃料被供給手段として内燃機関に具体化されているが、燃料を必要とする機械等を燃料被供給手段として適用してもよい。さらに、上記実施形態の地下タンク貯蔵所１は、直接埋設方式が採用されているが、コンクリート造等のタンク室に燃料タンク２を設置するタンク室方式を採用し、燃料タンク２の周囲をコンクリートで被覆する漏れ防止構造を採用してもよい。この場合、タンク室方式の地下タンク貯蔵所となるが、タンク室の４方側壁を上記説明の支柱状の支持部２５の代わりとして捉え、タンク室の蓋を上部スラブ３２として捉えれば、同様の工程を行って施工が可能である。
【００４１】
（ｃ）上記実施形態において、カルバート６を支持・固定する構成については特に限定されるものではなく、カルバート６の長さや重量等に応じて、適宜、設計変更可能である。例えば、カルバート６の下方（例えば、１次埋戻しラインＧＬ１）にコンクリート層を形成し、当該コンクリート層と、カルバート６の下面の所定部位との間に、カルバート６を支持する受部材を設けることとしてもよい。但し、カルバート設置部のコンクリート層は、プロテクタ取付工程の前に行い、プロテクタ取付工程の直後に、カルバート取付工程を行い、２次埋戻し工程で、タンク設置部２１、及び、カルバート設置部がカルバート６の上方位置まで一気に埋め戻されるように構成する。また、吊ボルト２９を省略することも可能である。
【符号の説明】
【００４２】
１…地下タンク貯蔵所、２…燃料タンク、３…タンクマンホール、３ａ…タンクマンホール蓋、４…プロテクタ、４ａ…プロテクタマンホール蓋、５…配管ピット、６…カルバート、１５…固定ダクト、１６…スライドダクト、２１…タンク設置部、２４…基礎スラブ、２９…吊ボルト、３１…インサート金具、３２…上部スラブ。
【図１】
2018158741.tif 000003
【図２】
2018158741.tif 000004
【図３】
2018158741.tif 000005
【図４】
2018158741.tif 000006
【図５】
2018158741.tif 000007
【図６】
2018158741.tif 000008